(57)【要約】【課題】外部機器を制御する車載端末装置が予め設定した作動条件にもとづいて外部機器を作動させる場合に、不要に作動させること抑える技術を提供する。【解決手段】車両１０に設けられ、車両１０の外にある外部機器２２を制御する車載端末装置２０において、入力部は、外部機器２２に所定の動作をさせるための作動条件として、車両１０の位置に関する条件の入力を受け付ける。制御部は、車両１０が外部機器２２のある地点に近づいて作動条件を満たす場合に、外部機器２２に所定の動作をさせる。制御部は、作動条件を満たす場合であっても、運転者が外部機器２２の設置地点に行かないことを特定した場合に、外部機器２２の作動を制限する。【選択図】図１
2019148922.tif 000002
【特許請求の範囲】
【請求項１】
車両に設けられ、前記車両の外にある外部機器を制御する車載端末装置であって、
前記外部機器に所定の動作をさせるための作動条件として、前記車両の位置に関する条件の入力を受け付ける入力部と、
前記作動条件を満たす場合に、前記外部機器に所定の動作をさせる制御部と、を備え、
前記制御部は、前記作動条件を満たす場合でも、運転者が前記外部機器の設置地点に行かないことを特定した場合に、前記外部機器の作動を制限することを特徴とする車載端末装置。
【発明の詳細な説明】
【技術分野】
【０００１】
本発明は、外部機器を制御する車載端末装置に関する。
【背景技術】
【０００２】
特許文献１には、ユーザの持つ携帯端末と制御対象となる電気機器との位置関係から電気機器を自動的に制御する電気機器制御システムが開示されている。制御対象となる電気機器は家庭内に設定された固定電話機に接続されており、固定電話機および携帯端末の相対距離が基準値以下である場合に固定電話機が制御信号を電気機器に送信し、固定電話機および携帯端末の相対距離が基準値を越える場合に固定電話機が動作終了の制御信号を電気機器に送信する。
【先行技術文献】
【特許文献】
【０００３】
【特許文献１】特開２００２−２７５７１号公報
【発明の概要】
【発明が解決しようとする課題】
【０００４】
特許文献１の技術では、ユーザの持つ携帯端末と固定電話機の相対距離が基準値以下で電気機器を作動させるため、固定電話機を設置した家をユーザが通り過ぎた場合に、携帯端末と固定電話機の相対距離が一時的に基準値以下になって、電気機器が不要に作動される。
【０００５】
本発明の目的は、外部機器を制御する車載端末装置が予め設定した作動条件にもとづいて外部機器を作動させる場合に、不要に作動させること抑える技術を提供することにある。
【課題を解決するための手段】
【０００６】
上記課題を解決するために、本発明のある態様の車載端末装置は、車両に設けられ、車両の外にある外部機器を制御する車載端末装置であって、外部機器に所定の動作をさせるための作動条件として、車両の位置に関する条件の入力を受け付ける入力部と、作動条件を満たす場合に、外部機器に所定の動作をさせる制御部と、を備える。制御部は、作動条件を満たす場合でも、運転者が外部機器の設置地点に行かないことを特定した場合に、外部機器の作動を制限する。
【０００７】
この態様によると、予め設定した作動条件によって外部機器が不要に作動することを抑えることができる。
【発明の効果】
【０００８】
本発明によれば、外部機器を制御する車載端末装置が予め設定した作動条件にもとづいて外部機器を作動させる場合に、不要に作動させること抑える技術を提供できる。
【図面の簡単な説明】
【０００９】
【図１】作動予約システムについて説明するための図である。
【図２】作動予約システムの機能構成について説明するための図である。
【図３】作動予約実行処理について説明するためのフローチャートである。
【発明を実施するための形態】
【００１０】
図１は、作動予約システムについて説明するための図である。作動予約システムは、車載端末装置２０および外部機器２２により構成される。車載端末装置２０は、車両１０に設けられ、外部機器２２と通信可能であり、制御信号を送信する。なお、車載端末装置２０および外部機器２２はサーバ装置を介して通信してよい。
【００１１】
外部機器２２は、自宅１２に設置されている電子機器であって、空調機器、ガレージドアの開閉機器、給湯器などである。外部機器２２は、ネットワークを介して車載端末装置２０からの制御信号を取得する。なお、外部機器２２は、自宅１２以外に設置されてよい。
【００１２】
作動予約システムでは、車載端末装置２０が外部機器２２を制御することが可能であり、車載端末装置２０に設定された作動条件を満たした場合に、外部機器２２を作動させる制御を実行する。作動条件は、例えば、車両１０の位置に関する条件であって、車両１０が外部機器２２の設置地点から所定範囲内に入ると満たされるように設定される。
【００１３】
図１では、車両１０が自宅１２に向かって走行しているが、実際には自宅１２が経路の途中にあるだけで、自宅１２より先にある目的地１４に向かっている。このとき車両１０が自宅１２に接近して作動条件を満たし、車載端末装置２０が外部機器２２であるガレージドアを開く制御をすることは無駄である。
【００１４】
そこで、実施例の車載端末装置２０は、外部機器２２の作動条件を満たす場合であっても、外部機器２２のある自宅１２が目的地ではないことを特定すると、外部機器２２の作動を制限する。これにより、外部機器２２を不要に作動することを制限できる。
【００１５】
図２は、作動予約システム１の機能構成について説明するための図である。図２において、さまざまな処理を行う機能ブロックとして記載される各要素は、ハードウェア的には、回路ブロック、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１６】
作動予約システム１は、車載端末装置２０および外部機器２２に加えて、ナビゲーション装置２３を備える。車載端末装置２０は、通信部２４、位置取得部２６、入力部２８、保持部３０および制御部３２を備える。通信部２４は、外部機器２２と通信して、外部機器２２に制御信号を送信する。
【００１７】
位置取得部２６は、車両の位置を示す情報をＧＰＳ（Global Positioning System）を用いて取得する。車両の位置を示す情報には、位置情報およびその時刻が含まれる。位置取得部２６は、車両に搭載されたナビゲーション装置２３から位置情報を取得するが、運転者により携帯される携帯端末から位置情報を取得してよい。位置取得部２６は、ナビゲーション装置２３から、車両の位置情報だけでなく、運転者により設定された目的地情報を取得する。
【００１８】
入力部２８は、外部機器２２に所定の動作をさせるための作動条件の入力を受け付ける。入力部２８は、車載の操作機器または運転者の携帯端末から入力された情報を受け取る。入力部２８は、受け取った作動条件を保持部３０に送り、保持部３０は入力された外部機器２２の作動条件を保持する。
【００１９】
保持部３０は、作動させる外部機器２２の識別情報と、所定の動作情報とを作動条件に関連付けて保持する。所定の動作情報とは、空調機器であれば、温冷の設定や温度の設定値などの設定情報であり、外部機器２２の動作を設定する情報である。保持部３０は、外部機器２２の識別情報とともに外部機器２２の位置情報を予め保持する。
【００２０】
保持部３０は、作動条件として、車両の位置が外部機器２２の設置地点に所定距離だけ近づくと満たされる車両の位置に関する条件を保持する。作動条件は、車載端末装置２０が外部機器２２の設置地点から所定範囲内に入った場合に満たされ、外部機器２２が作動される。例えば、車載端末装置２０搭載する車両１０が、外部機器２２を設置した自宅１２から、１キロメートルの範囲内に入った場合に作動条件が満たされて、外部機器２２が作動される。
【００２１】
制御部３２は、原則として、車両の位置を示す情報が作動条件を満たすときに外部機器２２に所定の動作をさせる。一方で、制御部３２は、車両が外部機器２２の設置地点から所定範囲内に入った場合であっても、運転者の目的地が外部機器２２の設置地点でないことを特定すると、つまり、運転者が外部機器２２の設置地点に行かないことを特定すると、例外的に外部機器２２の作動を制限する。つまり、制御部３２は、作動条件を満たす場合であっても、外部機器２２の設置位置が目的地ではないときに、運転者が外部機器２２の設置地点に近づいても離れていくことを特定し、外部機器２２の作動を制限する。
【００２２】
制御部３２は、外部機器２２の設置地点が目的地でないことを、目的地情報にもとづいて特定する。例えば、運転者がナビゲーション装置２３に設定した目的地情報を、制御部３２は取得して目的地を特定するとともに、外部機器２２の設置地点に向かわないことを特定する。また、制御部３２は、運転者の発話をもとに外部機器２２が目的地でないことを特定してもよい。例えば、車載端末装置２０は、運転者の発話をマイクで音信号として検出し、音信号を解析して運転者の目的地を特定し、制御部３２は、運転者の発話から特定した目的地情報を取得する。
【００２３】
このように、車両と外部機器２２の位置関係によって作動する外部機器２２に対して、制御部３２が運転者の目的地を特定して、外部機器２２の作動が不要であることを特定して作動をキャンセルできる。例えば、車両が自宅から所定範囲内に入ると自宅のガレージドアが開く作動予約をしている場合に、制御部３２は、運転者が自宅以外の地点に向かっていることを特定すると、作動条件を満たしてもガレージドアを開かないようにできる。
【００２４】
制御部３２は、外部機器２２の作動を制限している場合に、車両が目的地に到着した場合に、制限を解除する。これにより、運転者が目的地に到着した後、外部機器２２の設置地点に移動すると作動条件が満たされ、制御部３２は外部機器２２を作動させるよう制御する。
【００２５】
保持部３０は、作動条件として、時刻に関する条件を保持する。作動条件は、予約時刻になると満たされて、外部機器２２が作動される。例えば、ユーザが帰宅予定時刻に外部機器２２を作動させることを予約できる。
【００２６】
制御部３２は、時刻に関する作動条件を満たした場合であっても、車両の位置を示す情報にもとづいて外部機器２２の作動を制限する。例えば、予約時刻に自宅の空調機器を作動させる作動予約が設定されている場合に、制御部３２は、ユーザが旅行などで自宅から遠くにいることを特定すると、作動条件を満たしても空調機器を作動させないようにする。このように、外部機器２２を予約時刻に作動させる予約の実行を、車両の位置にもとづいて制限できる。
【００２７】
制御部３２は、作動条件を満たして外部機器２２を作動させた後、車両の位置を示す情報を監視して、作動開始から所定時間経過後に運転者が外部機器２２の設置地点に着かない場合、外部機器２２の作動を停止してよい。これにより、運転者が外部機器２２の設置地点の到着に遅れた場合に、外部機器２２の作動を自動的に停止できる。
【００２８】
図３は、作動予約実行処理について説明するためのフローチャートである。運転者は、操作機器または携帯端末から、作動させる外部機器２２と、外部機器２２の動作内容、作動条件を入力し、入力部２８は、外部機器２２の作動条件の入力を受け付ける（Ｓ１０）。
【００２９】
作動条件は、車両が外部機器２２の設置地点から所定範囲内に入った場合に満たされる。保持部３０は、受け付けた作動条件を保持し、設定する（Ｓ１２）。制御部３２は、作動条件を満たすか監視し（Ｓ１４のＮ）、車両が外部機器２２の設置地点から所定範囲に入って作動条件を満たした場合（Ｓ１４のＹ）、運転者の目的地が外部機器２２の設置地点とは別の地点であるか判定する（Ｓ１６）。
【００３０】
運転者の目的地が外部機器２２の設置地点とは別の地点である場合（Ｓ１６のＹ）、制御部３２は外部機器２２を作動させない（Ｓ１８）。運転者の目的地が外部機器２２の設置地点とは別の地点であると特定できない場合（Ｓ１６のＮ）、制御部３２は外部機器２２を作動させる（Ｓ２０）。
【００３１】
なお実施例はあくまでも例示であり、各構成要素の組合せにいろいろな変形例が可能なこと、またそうした変形例も本発明の範囲にあることは当業者に理解されるところである。
【符号の説明】
【００３２】
１  作動予約システム、  １０  車両、  １２  自宅、  １４  目的地、  ２０  車載端末装置、  ２２  外部機器、  ２３  ナビゲーション装置、  ２４  通信部、  ２６  位置取得部、  ２８  入力部、  ３０  保持部、  ３２  制御部。
【図１】
2019148922.tif 000003
【図２】
2019148922.tif 000004
【図３】
2019148922.tif 000005